(57)【要約】【課題】コネクタが備える端子同士の接触状況を精度よく検出することができる電子装置及びコネクタを提供する。【解決手段】端子を備える主装置３に対して接続されるモジュールコネクタ５を含む光伝送装置１であって、モジュールコネクタ５が、基板と、基板上に設けられている複数の接触検出用端子と、を備え、光伝送装置１が、複数の接触検出用端子それぞれと、接触検出用端子に対応する主装置３が備える端子と、が接触したことを検出する検出回路８を備える。【選択図】図１
2010092766.tif 000002
【特許請求の範囲】
【請求項１】
端子を備える主装置に対して接続されるコネクタを含む電子装置であって、
前記コネクタが、基板と、前記基板上に設けられている複数の接触検出用端子と、を備え、
前記電子装置が、前記複数の接触検出用端子それぞれと、当該接触検出用端子に対応する前記主装置が備える端子と、が接触したことを検出する検出手段を備える、
ことを特徴とする電子装置。
【請求項２】
前記コネクタが、前記複数の接触検出用端子同士を電気的に接続する接続配線、をさらに備える、
ことを特徴とする請求項１に記載の電子装置。
【請求項３】
前記基板上に、前記複数の接触検出用端子とは異なる少なくとも１つの他の端子がさらに設けられており、
前記複数の接触検出用端子及び前記他の端子は前記基板の縁に沿って並んで配置されている、
ことを特徴とする請求項１又は２に記載の電子装置。
【請求項４】
前記複数の接触検出用端子の、前記コネクタの挿入方向の長さが、前記他の端子の前記長さよりも短い、
ことを特徴とする請求項３に記載の電子装置。
【請求項５】
前記基板の縁に沿って並んで配置されている複数の端子のうちの最外側の端子が、前記接触検出用端子である、
ことを特徴とする請求項３又は４に記載の電子装置。
【請求項６】
前記複数の接触検出用端子それぞれと、当該接触検出用端子に対応する前記主装置が備える端子と、が接触したことを前記検出手段が検出した際に、前記電子装置に対して予め定められた制御を行う制御手段、をさらに備える、
ことを特徴とする請求項１から５のいずれか一項に記載の電子装置。
【請求項７】
前記検出手段が、前記他の端子と、当該他の端子に対応する前記主装置が備える端子と、が接触したことをさらに検出し、
前記制御手段が、前記他の端子と、当該他の端子に対応する前記主装置が備える端子と、が接触したことを前記検出手段が検出してから、前記複数の接触検出用端子それぞれと、当該接触検出用端子に対応する主装置が備える端子とが接触したことを検出するまでの間に、所定の制御を行う、
ことを特徴とする請求項６に記載の電子装置。
【請求項８】
基板と、
前記基板上に設けられている複数の接触検出用端子と、
前記複数の接触検出用端子同士を電気的に接続する接続配線と、
を備えることを特徴とするコネクタ。
【請求項９】
前記複数の接触検出用端子それぞれと、当該接触検出用端子に対応する前記主装置が備える端子と、が接触したことを示す信号が、前記複数の接触検出用端子のうちの少なくとも１つを経由して出力される、
ことを特徴とする請求項８に記載のコネクタ。
【発明の詳細な説明】
【技術分野】
【０００１】
本発明は、電子装置及びコネクタに関する。
【背景技術】
【０００２】
相手側コネクタと接続されることにより導通されるカードエッジコネクタなどのコネクタが存在する。例えば、図９に例示する、光伝送モジュールなどが備えるモジュールコネクタ５は、基板５０上に端子５２が設けられている。なお、図９に例示するモジュールコネクタ５は、カードエッジコネクタである。そして、図９に例示するモジュールコネクタ５を、相手側コネクタに挿入すると、モジュールコネクタ５と相手側コネクタとが導通される。
【発明の開示】
【発明が解決しようとする課題】
【０００３】
モジュールコネクタ５と相手側コネクタとの間で高周波信号の送受信が行われる場合には、モジュールコネクタ５が備える端子５２の、相手側コネクタが備える端子５２との接触位置から先端までの部分がスタブとして作用して、高周波特性が低下する可能性がある。そのため、モジュールコネクタ５が備える端子５２の挿入方向の長さはできるだけ短くすることが望ましい。
【０００４】
しかし、モジュールコネクタ５が備える端子５２の挿入方向の長さを短くするほど、両コネクタを確実に接続させることが困難となる。このとき、モジュールコネクタ５が備える端子５２とホストコネクタが備える端子５２との接触状況を精度よく検出することができれば、両コネクタを確実に接続させることが容易となる。なお、このことはカードエッジコネクタに限らず、コネクタ一般やコネクタを備える電子装置一般においてもあてはまる。
【０００５】
本発明は、上記課題に鑑みてなされたものであって、コネクタが備える端子同士の接触状況を精度よく検出することができる電子装置及びコネクタを提供することを目的とする。
【課題を解決するための手段】
【０００６】
上記課題を解決するために、本発明に係る電子装置は、端子を備える主装置に対して接続されるコネクタを含む電子装置であって、前記コネクタが、基板と、前記基板上に設けられている複数の接触検出用端子と、を備え、前記電子装置が、前記複数の接触検出用端子それぞれと、当該接触検出用端子に対応する前記主装置が備える端子と、が接触したことを検出する検出手段を備えることを特徴とする。
【０００７】
本発明によれば、検出手段によって、コネクタが備える複数の接触検出用端子それぞれと、対応する主装置が備える端子と、が接触したことが検出されるので、コネクタが備える端子同士の接触状況を精度よく検出することができる。
【０００８】
本発明の一態様では、前記コネクタが、前記複数の接触検出用端子同士を電気的に接続する接続配線、をさらに備えることを特徴とする。この態様によれば、接続配線を利用した、コネクタが備える複数の接触検出用端子それぞれと、対応する主装置が備える端子と、の接触の検出が可能となる。
【０００９】
また、本発明の一態様では、前記基板上に、前記複数の接触検出用端子とは異なる少なくとも１つの他の端子がさらに設けられており、前記複数の接触検出用端子及び前記他の端子は前記基板の縁に沿って並んで配置されていることを特徴とする。
【００１０】
この態様では、前記複数の接触検出用端子の、前記コネクタの挿入方向の長さが、前記他の端子の前記長さよりも短くてもよい。
【００１１】
また、この態様では、前記基板の縁に沿って並んで配置されている複数の端子のうちの最外側の端子が、前記接触検出用端子であってもよい。
【００１２】
また、本発明の一態様では、前記複数の接触検出用端子それぞれと、当該接触検出用端子に対応する前記主装置が備える端子と、が接触したことを前記検出手段が検出した際に、前記電子装置に対して予め定められた制御を行う制御手段、をさらに備えることを特徴とする。この態様によれば、検出手段による検出結果に基づく電子装置の制御が可能となる。
【００１３】
この態様では、前記検出手段が、前記他の端子と、当該他の端子に対応する前記主装置が備える端子と、が接触したことをさらに検出し、前記制御手段が、前記他の端子と、当該他の端子に対応する前記主装置が備える端子と、が接触したことを前記検出手段が検出してから、前記複数の接触検出用端子それぞれと、当該接触検出用端子に対応する主装置が備える端子とが接触したことを検出するまでの間に、所定の制御を行ってもよい。
【００１４】
また、本発明に係るコネクタは、基板と、前記基板上に設けられている複数の接触検出用端子と、前記複数の接触検出用端子同士を電気的に接続する接続配線と、を備えることを特徴とする。
【００１５】
本発明の一態様では、前記複数の接触検出用端子それぞれと、当該接触検出用端子に対応する前記主装置が備える端子と、が接触したことを示す信号が、前記複数の接触検出用端子のうちの少なくとも１つを経由して出力されることを特徴とする。
【発明を実施するための最良の形態】
【００１６】
以下、本発明の実施形態について図面に基づき詳細に説明する。
【００１７】
図１は、本発明の一実施形態に係る光伝送装置１の一例を示す構成図である。図１に例示するように、本実施形態に係る光伝送装置１は、光伝送モジュール２と、主装置３と、を含む。そして、光伝送モジュール２と主装置３とは接続されている。
【００１８】
光伝送モジュール２は、例えば、光トランシーバなどであり、光伝送部４と、モジュールコネクタ５と、を含む。主装置３は、例えば、サーバなどの情報処理装置やルータなどの通信装置などであり、処理部６と、ホストコネクタ７と、を含む。
【００１９】
光伝送部４は、光電変換により、光信号と電気信号との変換を行う。そして、光伝送部４は、光伝送部４に接続される光ファイバなどを介して外部装置と光信号の入力や出力を行う。また、光伝送部４は、モジュールコネクタ５と電気的に接続されている。モジュールコネクタ５は、光伝送部４、及び、主装置３のホストコネクタ７と電気的に接続されている。
【００２０】
処理部６は、例えば、ＣＰＵ等の制御装置、ハードディスク等の記憶装置などを備えて構成されており、ホストコネクタ７と電気的に接続されている。ホストコネクタ７は、処理部６、及び、光伝送モジュール２のモジュールコネクタ５と、電気的に接続されている。そして、ホストコネクタ７は、電流を検出する検出回路８を備えている。検出回路８の詳細については後述する。
【００２１】
図２は、本発明の一実施形態に係るモジュールコネクタ５を示す平面図である。図３は、図２に例示するモジュールコネクタ５を示す裏面図の一例を示す図である。図４は、図２に例示するモジュールコネクタ５を示す側面図の一例を示す図であるである。図５は、図２中の矢印Ｖ−Ｖ方向から見た拡大断面図の一例を示す図である。
【００２２】
本実施形態に係るモジュールコネクタ５は、例えば、カードエッジコネクタであり、基板５０と、基板５０上に設けられた複数の導体の端子５２と、を備えている。基板５０は、例えば、樹脂などの絶縁体を含んで形成されている。複数の端子５２は、基板５０の縁に沿って並んで配置されている。本実施形態に係るモジュールコネクタ５では、例えば、基板５０の表側の面に配置されている複数の端子５２のうちの最外側の端子５２（すなわち、基板５０上に設けられた複数の導体の端子５２のうちの両端の端子５２）が、接触検出用端子５２ａ（モジュールコネクタ５の挿入方向左側に設けられている左側接触検出用端子５２ａ−１、及び、モジュールコネクタ５の挿入方向右側に設けられている右側接触検出用端子５２ａ−２）として機能し、その他の端子５２が、光伝送用端子５２ｂとして機能する。そして、基板５０の裏側の面に配置されている複数の端子５２は、電源用端子５２ｃとして機能する。このように、本実施形態に係るモジュールコネクタ５の基板５０上には、複数の接触検出用端子５２ａとは異なる少なくとも１つの他の端子５２（本実施形態では、光伝送用端子５２ｂや電源用端子５２ｃ）がさらに設けられている。
【００２３】
各端子５２からは配線５４が延伸している。例えば、光伝送用端子５２ｂからは、導体の光伝送用配線５４ｂが長手方向に延伸している。そして、光伝送用配線５４ｂは、光伝送用端子５２ｂと、光伝送部４とを電気的に接続している。電源用端子５２ｃからは、導体の電源用配線５４ｃが長手方向に延伸している。
【００２４】
本実施形態に係るモジュールコネクタ５が備える基板５０は、複数層構造になっており、中間導体層に配線５４を形成することができるようになっている。基板５０には、基板５０の表側の面と、中間導体層とを接続するスルーホール５０ａが設けられている。そして、スルーホール５０ａは、接触検出用端子５２ａが設けられている位置の近傍に設けられている。
【００２５】
本実施形態に係るモジュールコネクタ５は、接触検出用端子５２ａ同士を電気的に接続する接続配線５４ａをさらに備えている。すなわち、複数の接触検出用端子５２ａは、互いに接続配線５４ａにより接続されている。具体的には、例えば、接続配線５４ａは、左側接触検出用端子５２ａ−１から、基板５０上を、縁から離れるようにして長手方向に延伸する。そして、接続配線５４ａは、モジュールコネクタ５の挿入方向左側のスルーホール５０ａを経由して、中間導体層を、基板５０の幅方向に、光伝送用配線５４ｂを横断するようにして延伸する。そして、接続配線５４ａは、モジュールコネクタ５の挿入方向右側のスルーホール５０ａを経由して、基板５０上を、縁に向かうようにして長手方向に延伸して、右側接触検出用端子５２ａ−２に到達する。
【００２６】
図６は、本発明の一実施形態に係るホストコネクタ７を示す側面図の一例を示す図である。図７は、図６中の矢印VII−VII方向から見た断面図の一例を示す図である。ホストコネクタ７は、例えば有底角筒形状のモジュールコネクタ挿入孔７０ａが形成されている端子支持部材７０と、モジュールコネクタ挿入孔７０ａの上側及び下側に設けられている複数の端子７２と、備えている。端子支持部材７０は、例えば、樹脂などを含んで形成されている。モジュールコネクタ挿入孔７０ａの上側に設けられている複数の端子７２のうちの最外側の端子７２が、接触検出用端子７２ａ（モジュールコネクタ５の挿入方向左側に設けられている左側接触検出用端子７２ａ−１、及び、モジュールコネクタ５の挿入方向右側に設けられている右側接触検出用端子７２ａ−２）として機能し、その他の端子７２が、光伝送用端子７２ｂとして機能する。そして、モジュールコネクタ挿入孔７０ａの下側に設けられている複数の端子７２は、電源用端子７２ｃとして機能する。
【００２７】
モジュールコネクタ５をホストコネクタ７に挿入することで、モジュールコネクタ５の接触検出用端子５２ａは、対応するホストコネクタ７の接触検出用端子７２ａと電気的に接続されるようになっており、モジュールコネクタ５の光伝送用端子５２ｂは、対応するホストコネクタ７の光伝送用端子７２ｂと電気的に接続されるようになっている。
【００２８】
そして、本実施形態に係る主装置３では、ホストコネクタ７の左側接触検出用端子７２ａ−１の電位がホストコネクタ７の右側接触検出用端子７２ａ−２の電位より高くなるよう構成されている。また、ホストコネクタ７の右側接触検出用端子７２ａ−２は、検出回路８と電気的に接続されている。
【００２９】
そのため、モジュールコネクタ５の左側接触検出用端子５２ａ−１と、ホストコネクタ７の左側接触検出用端子７２ａ−１とが電気的に接続され、モジュールコネクタ５の右側接触検出用端子５２ａ−２と、ホストコネクタ７の右側接触検出用端子７２ａ−２とが電気的に接続されると、ホストコネクタ７の左側接触検出用端子７２ａ−１、モジュールコネクタ５の左側接触検出用端子５２ａ−１、接続配線５４ａ、モジュールコネクタ５の右側接触検出用端子５２ａ−２、ホストコネクタ７の右側接触検出用端子７２ａ−２、を経由して検出回路８へと電流が流れる。そして、検出回路８がこの電流を検出する。このようにして、モジュールコネクタ５が備える接触検出用端子５２ａが、対応するホストコネクタ７が備える接触検出用端子７２ａと接触したことを示す信号が、モジュールコネクタ５が備える接触検出用端子５２ａを経由して検出回路８へと出力される。
【００３０】
そして、本実施形態では、検出回路８は、電流を検出した際に、処理部６が備える制御装置に検出信号を出力する。そして、制御装置は、この検出信号を受け付けた際に、光伝送部４の起動信号を、光伝送部４へと出力する。そして、光伝送部４は、この起動信号を受け付けると、光入力や光出力を開始する。
【００３１】
このようにして、本実施形態では、モジュールコネクタ５の接触検出用端子５２ａと、対応するホストコネクタ７の接触検出用端子７２ａと、が接続されることによって検出回路８に流れる電流によって、光伝送部４の制御を行うことができる。そして、例えば、モジュールコネクタ５が、幅方向や長手方向にずれてホストコネクタ７に挿入されるような状況や、モジュールコネクタ５がホストコネクタ７に対して斜めに挿入されるような状況などといった、モジュールコネクタ５がホストコネクタ７に正常に挿入されていない状況が発生しても、検出回路８が電流を検出しないので、光伝送部４に対する起動制御などの制御を抑制することができる。
【００３２】
なお、モジュールコネクタ５の接触検出用端子５２ａと、対応するホストコネクタ７の接触検出用端子７２ａと、が接続されたことを検出する方法は上述の方法に限定されない。検出回路８は、例えば、電流とは異なる値（例えば、電圧など）に基づいて、モジュールコネクタ５の接触検出用端子５２ａと、対応するホストコネクタ７の接触検出用端子７２ａと、が接続されたことを検出するようにしてもよい。また、例えば、主装置３にインストールされた検出プログラムを主装置３が備える制御装置で実行して、モジュールコネクタ５の接触検出用端子５２ａと、対応するホストコネクタ７の接触検出用端子７２ａと、が接続されたことを検出しても構わない。
【００３３】
また、制御装置が行う制御は、光伝送部４の制御に限定されない。
【００３４】
なお、本発明は上記実施形態に限定されるものではない。
【００３５】
図８は、別の実施形態に係るモジュールコネクタ５の平面図の一例を示す図である。図８に例示するように、この実施形態に係るモジュールコネクタ５は、基板５０の表側の面上に設けられている複数の端子５２のうちの最外側の端子５２、及び、中央付近の端子５２が、接触検出用端子５２ａ（左側接触検出用端子５２ａ−１、右側接触検出用端子５２ａ−２、及び、中央接触検出用端子５２ａ−３）として機能する。なお、この実施形態では、中央接触検出用端子５２ａ−３は２つ存在する。なお、この実施形態では、中央接触検出用端子５２ａ−３は、電源用端子５２ｃとしても機能する。このように、接触検出用端子５２ａが電源用端子５２ｃとしても機能してもよい。そして、その他の端子５２が、光伝送用端子５２ｂとして機能する。そして、この実施形態では、各接触検出用端子５２ａは、接続配線５４ａにより互いに接続されている。
【００３６】
そして、この実施形態に係るモジュールコネクタ５に接続されるホストコネクタ７は、検出回路８を複数備えている。そして、モジュールコネクタ５の中央接触検出用端子５２ａ−３が接続されるホストコネクタ７の端子７２の電位が、モジュールコネクタ５の左側接触検出用端子５２ａ−１及び右側接触検出用端子５２ａ−２が接続されるホストコネクタ７の端子７２の電位より高くなるよう構成されている。
【００３７】
そして、モジュールコネクタ５の左側接触検出用端子５２ａ−１に接続されるホストコネクタ７の端子７２には、一方の検出回路８が接続されており、モジュールコネクタ５の右側接触検出用端子５２ａ−２に接続されるホストコネクタ７の端子７２には、他方の検出回路８が接続されている。
【００３８】
そのため、モジュールコネクタ５の中央接触検出用端子５２ａ−３が、対応するホストコネクタ７の端子７２と接続し、モジュールコネクタ５の左側接触検出用端子５２ａ−１が、対応するホストコネクタ７の端子７２と接続すると、一方の検出回路８に電流が流れる。そして、この一方の検出回路８がこの電流を検出する。そして、モジュールコネクタ５の中央接触検出用端子５２ａ−３が、対応するホストコネクタ７の端子７２と接続し、モジュールコネクタ５の右側接触検出用端子５２ａ−２が、対応するホストコネクタ７の端子７２と接続すると、他方の検出回路８に電流が流れる。そして、この他方の検出回路８がこの電流を検出する。
【００３９】
こうすれば、モジュールコネクタ５が備える端子５２とホストコネクタ７が備える端子７２との接触状況を、複数の検出回路８それぞれに流れる電流に基づいて検出することができる。そのため、モジュールコネクタ５が備える端子５２とホストコネクタ７が備える端子７２との接触状況を精度よく検出することができる。
【００４０】
そして、図８に例示するように、接触検出用端子５２ａの長手方向の長さが、他の端子５２の長手方向の長さよりも短くてもよい。このようにすると、モジュールコネクタ５の接触検出用端子５２ａと、対応するホストコネクタ７の接触検出用端子７２ａと、の接触状況を検出回路８により精度よく検出することができる。
【００４１】
また、図８に例示するように、基板５０の縁から接触検出用端子５２ａまでの長さが、基板５０の縁から他の端子５２までの長さよりも長くてもよい。このようにすると、モジュールコネクタ５の他の端子５２が、対応するホストコネクタ７の端子７２と接触したとしても、モジュールコネクタ５の接触検出用端子５２ａと、対応するホストコネクタ７の端子７２とが接触するまでは、検出回路８が制御装置に検出信号を出力しないようにすることができる。
【００４２】
また、基板５０の縁から電源用端子５２ｃまでの長さが、基板５０の縁から他の端子５２までの長さよりも長くてもよい。このようにすると、まず、モジュールコネクタ５をホストコネクタ７に挿入する際に、最初に、電源用端子５２ｃが、対応するホストコネクタ７の端子７２と接触する。そのため、モジュールコネクタ５が備える他の端子５２の接触前に主装置３から光伝送モジュール２に駆動電源を供給することができる。また、図８に例示するように、電源用端子５２ｃの長手方向の長さが、他の端子５２の長手方向の長さよりも長くてもよい。
【００４３】
上述のように、基板５０の縁からの長さを、モジュールコネクタ５の各端子５２において異なるようにして、モジュールコネクタ５の端子５２とホストコネクタ７の端子７２との接触順を調整するようにしてもよい。なお、ホストコネクタ７が備える端子７２の、ホストコネクタ７の縁からの位置によって、モジュールコネクタ５の端子５２とホストコネクタ７の端子７２との接触順を調整してもよい。
【００４４】
なお、検出回路８が、モジュールコネクタ５が備える接触検出用端子５２ａとは異なる端子５２（例えば、電源用端子５２ｃ）が、対応するホストコネクタ７の端子７２に接触したことを検出するようにしてもよい。そして、このとき、主装置３が備える制御装置が、接触検出用端子５２ａとは異なる端子５２が、対応するホストコネクタ７の端子７２に接触したことを検出回路８が検出してから、モジュールコネクタ５が備える接触検出用端子５２ａが、対応するホストコネクタ７の端子７２に接触したことを検出回路８が検出するまでの間、予め定められた制御を行うようにしてもよい。具体的には、例えば、主装置３が備える制御装置が、上述の間中、ずっと、光伝送モジュール２に省電力稼働させる制御や、アラーム音を出力する制御などを行うようにしてもよい。
【００４５】
なお、本発明は上記実施形態にも限定されない。
【００４６】
例えば、検出回路８が光伝送モジュール２に設けられていてもよい。そして、電源用端子５２ｃを経由して検出回路８が駆動電源の供給を受けるようにしてもよい。また、光伝送モジュール２に検出回路８の駆動電源が設けられていてもよい。
【００４７】
また、主装置３が備える制御装置が光伝送部４の制御を行う代わりに、ホストコネクタ７やモジュールコネクタ５や光伝送部４が備える制御回路などが、光伝送部４の制御を行うようにしてもよい。なお、光伝送部４の制御は、制御回路により実現する必要はなく、例えば、主装置３にインストールされるプログラムを、主装置３が備えるＣＰＵ等で実行することにより実現してもよい。
【００４８】
また、モジュールコネクタ５に設けられる各端子５２の配置は上述の実施形態に限定されない。例えば、モジュールコネクタ５の基板５０の裏側の面に接触検出用端子５２ａが設けられていてもよい。また、例えば、モジュールコネクタ５の基板５０の裏側の面上に端子５２や配線５４が設けられていなくてもよい。
【００４９】
また、例えば、モジュールコネクタ５が、主装置３を通電した状態でも、ホストコネクタ７に対して挿抜可能なホットプラガブルコネクタであってもよい。
【００５０】
また、光伝送モジュール２は、光送信又は光受信のいずれか一方を行うモジュールであってもよい。また、本発明を、光伝送装置１以外の電気機器に適用しても構わない。また、本発明を、光伝送モジュール２以外のモジュールに適用しても構わない。
【図面の簡単な説明】
【００５１】
【図１】本発明の一実施形態に係る光伝送装置の構成の一例を示す図である。
【図２】本発明の一実施形態に係るモジュールコネクタの平面図の一例を示す図である。
【図３】図２に例示するモジュールコネクタの裏面図の一例を示す図である。
【図４】図２に例示するモジュールコネクタの側面図の一例を示す図である。
【図５】図２中の矢印Ｖ−Ｖ方向から見た拡大断面図の一例を示す図である。
【図６】本発明の一実施形態に係るホストコネクタの側面図の一例を示す図である。
【図７】図６中の矢印VII−VII方向から見た断面図の一例を示す図である。
【図８】本発明の別の実施形態に係るモジュールコネクタの平面図の一例を示す図である。
【図９】従来のモジュールコネクタの平面図の一例を示す図である。
【符号の説明】
【００５２】
１  光伝送装置、２  光伝送モジュール、３  主装置、４  光伝送部、５  モジュールコネクタ、６  処理部、７  ホストコネクタ、８  検出回路、５０  基板、５０ａ  スルーホール、５２  端子、５２ａ  接触検出用端子、５２ｂ  光伝送用端子、５２ｃ  電源用端子、５４  配線、５４ａ  接続配線、５４ｂ  光伝送用配線、５４ｃ  電源用配線、７０  端子支持部材、７０ａ  モジュールコネクタ挿入孔、７２  端子、７２ａ  接触検出用端子、７２ｂ  光伝送用端子、７２ｃ  電源用端子。
【図１】
2010092766.tif 000003
【図２】
2010092766.tif 000004
【図３】
2010092766.tif 000005
【図４】
2010092766.tif 000006
【図５】
2010092766.tif 000007
【図６】
2010092766.tif 000008
【図７】
2010092766.tif 000009
【図８】
2010092766.tif 000010
【図９】
2010092766.tif 000011